(57)【要約】  体毛を剃る動作を行うだけで、血流促進などの健康増進効果を図ることができる電気体毛処理装置を提供する。  この電気体毛処理装置（１０）は、内刃（１７）と、内刃（１７）へ体毛を導入する多数の孔（１８）を有したカバー部（１２）とを備え、カバー部（１２）の表面に配した炭素材料を主成分としたカーボン部（Ａ）と、該カーボン部（Ａ）を加温する加温部（１６）とを有している。
2017131179.tif 000002
【特許請求の範囲】
【請求項１】
内刃と、内刃へ体毛を導入する多数の孔を有したカバー部とを備えた電気体毛処理装置において、  前記カバー部の表面に配した炭素材料を主成分としたカーボン部と、該カーボン部を加温する加温部とを有したことを特徴とする電気体毛処理装置。
【請求項２】
請求項１において、  前記カーボン部は、前記カバー部の表面に形成されたカーボン被膜層を有してなる、電気体毛処理装置。
【請求項３】
請求項２において、  前記カーボン被膜層は、前記孔の内側面にも形成されている、電気体毛処理装置。
【請求項４】
請求項２または３において、  前記カーボン被膜層は、ダイヤモンド状炭素材料、炭素繊維強化炭素複合材料の少なくとも１つの材料で成形されている、電気体毛処理装置。
【請求項５】
請求項１〜４のいずれか１項について、  前記カーボン部は、前記カバー部の表面に形成され、炭素材料で成形された皮膚押圧体を有してなる、電気体毛処理装置。 
【発明の詳細な説明】
【技術分野】
【０００１】  本発明は、体毛を剃ることで健康の増進が図れる電気体毛処理装置に関する。
【背景技術】
【０００２】  電気体毛処理装置は本体部にカバー部を装着して使用される。体毛を剃るときには、カバー部を皮膚に押し付けて、体毛を剃る方向に滑らせるように動かす。このとき、体毛がカバー部の有する多数の孔によって電気モーターにより稼動する内刃へ導入され、内刃とカバー部とが接触する摺動面で、内刃とカバー部とが体毛を挟むことで切断される。【０００３】  従来には、カバー部の表面にカーボン被膜層を形成することにより、より薄く形成されたカバー部を備えた電気体毛処理装置が提案されている（たとえば、特許文献１参照）。
【先行技術文献】
【特許文献】
【０００４】
【特許文献１】特許公報第２５９８１９４号
【発明の概要】
【発明が解決しようとする課題】
【０００５】  カーボンは、遠赤外線を放射することが知られている。遠赤外線は、遠赤外線を吸収した物体の温度を上昇させる効果がある。人体が遠赤外線を吸収すると該当部位を温めて血流を促進させるため、遠赤外線効果を利用して健康の増進を期待することができる。【０００６】  しかしながら、電気体毛処理装置において、カバー部の表面にカーボン被膜層を形成するだけでは、遠赤外線の放射による健康増進効果を得るには不十分であり、さらなる工夫が必要とされる。【０００７】  本発明は、上記の点を鑑みて提案されたものであり、その目的は、体毛を剃る動作を行うだけで、血流促進などのより高い健康増進効果を図ることができる電気体毛処理装置を提供することにある。
【課題を解決するための手段】
【０００８】  上記目的を達成するために、本発明の電気体毛処理装置は、内刃と、内刃へ体毛を導入する多数の孔を有したカバー部とを備えた電気体毛処理装置において、カバー部の表面に配した炭素材料を主成分としたカーボン部と、カーボン部を加温する加温部とを有したことを特徴とする。【０００９】  また、本発明は、カーボン部が、カバー部の表面に形成されたカーボン被膜層を有してもよい。【００１０】  更に、本発明は、カーボン被膜層が孔の内側面にも形成されてもよい。【００１１】  更に、本発明は、カーボン被膜層が、ダイヤモンド状炭素、炭素繊維強化炭素複合材料の少なくとも１つの材料で成形されてもよい。【００１２】  更に、本発明は、カーボン部が、カバー部の表面に形成され、炭素材料で成形された皮膚押圧体を有してもよい。
【発明の効果】
【００１３】  本発明によれば、カバー部の表面に炭素材料を主成分としたカーボン部が形成されているため、遠赤外線を放射する。カーボンは常温でも遠赤外線を放射するが、カーボン部が加温部により加温され、さらに遠赤外線を効率よく放射する。遠赤外線の効果により、人体が加温され、血流の促進を高めることができる。また、皮膚を温刺激することで好適な使用感覚を生み出す。【００１４】  また、他の発明によれば、カバー部の表面にカーボン被膜層が形成されているため、カーボンで構成されていない部材等の表面部にカーボン部を容易に形成することができる。また、カーボン被膜層が体毛や体毛周囲の皮膚を加温するので、体毛や皮膚が柔らかくなり、スムーズに体毛を剃ることができる。【００１５】  更に、他の発明によれば、カバー部の孔の内側面にもカーボン被膜層が形成されているため、遠赤外線効果をさらに高めることができる。【００１６】  更に、他の発明によれば、カーボン被膜層がダイヤモンド状炭素材料、複合炭素強化炭素材料で成形されているため、カバー部の強度を高めることができる。さらに、他の炭素材料によるものと比べて被膜層を薄く形成することができる。【００１７】  更に、他の発明によれば、体毛を剃るときに皮膚押圧体が皮膚に圧力をかけて刺激するため、血流を促進することができる。また、皮膚押圧体が炭素材料で成形されているため、遠赤外線を放射する。遠赤外線の効果により、人体が加温され、血流の促進を高めることができる。また、体毛を処理するだけではなく、皮膚押圧体の部分のみを皮膚に押し当てて、マッサージ器の代わりとしても使用することができる。
【図面の簡単な説明】
【００１８】
【図１】（ａ）は本発明の一実施形態に係る電気体毛処理装置の斜視図、（ｂ）は平面図である。
【図２】本発明の一実施形態に係る電気体毛処理装置の分解正面図とカバー部の部分縦断面の拡大図である。
【図３】（ａ）及び（ｂ）は本発明の他の実施形態に係る電気体毛処理装置の斜視図である。
【図４】図１に示す電気体毛処理装置の加温部の一例を模式的に示す図である。
【発明を実施するための形態】
【００１９】  以下に、本発明の実施の形態に係る電気体毛処理装置について、添付図面を参照して説明する。なお、本実施形態では、電気体毛処理装置の例として、髭剃りシェーバーを挙げる。
【００２０】  図１、図２に示すように、本電気体毛処理装置１０は、内刃１７と、内刃１７へ体毛を導入する多数の孔１８を有したカバー部１２とを備えている。電気体毛処理装置は、カバー部１２の表面には炭素材料を主成分としたカーボン部Ａが形成され、カーボン部Ａを加温する加温部１６を有している。
【００２１】  本実施形態では、本電気体毛処理装置１０は、カーボン部Ａとして、皮膚押圧体１３とカーボン被膜層１５とを有している。
【００２２】  さらに詳しくは、本電気体毛処理装置１０は本体部１１とカバー部１２とを備えている。本体部１１はカバー部１２との装着面に、カバー部１２に覆われる櫛歯状の内刃１７を備えている。
【００２３】  カバー部１２はニッケル合金製とされている。その表面には外刃１４が形成されている。つまり、カバー部１２の表面には多数の孔１８が開設され、カバー部１２の内側に配された内刃１７側へ体毛が導入されるようになっている。そして、その外刃１４にはダイヤモンド状炭素（ＤＬＣ：Ｄｉａｍｏｎｄ−Ｌｉｋｅ  Ｃａｒｂｏｎ）で成形されたカーボン被膜層１５が形成されている。ダイヤモンド状炭素で形成されたカーボン皮膜層１５は、ナノレベルの薄さの膜でありながらも、硬質であり、低摩擦性・低摩耗性を有する。またフッ素や銀等の抗菌性を有する元素がドーピングされたダイヤモンド状炭素でカーボン皮膜層１５が形成されてもよい。この場合は、カーボン皮膜層１５は抗菌性を有するものとできる。さらに、カーボン皮膜層１５の表面にアクリルやウレタン等の合成樹脂材を塗布し、１５０〜２００℃で焼付けを行ってもよい。この場合は、カーボン皮膜層１５の表面をつや消し状とすることができる。なお図例では、外刃１４は、多数の孔１８を備えた外刃１４ａと、くせ毛を起こして剃る構造の孔のない外刃１４ｂとより構成され、それらいずれにもカーボン被膜層１５が形成されているが、少なくとも孔１８を備えたほうの外刃１４ａにカーボン被膜層１５を備えることが望ましい。
【００２４】  また、カバー部１２の表面側にはさらに皮膚押圧体１３が設けてある。この皮膚押圧体１３は、黒鉛を原料とした炭素材料で成形されている。
【００２５】  一方、カバー部１２の内部には、皮膚押圧体１３と外刃１４とを加温する、半導体電極フレキシブルヒーターで構成された加温部１６が設けられている。
【００２６】  ついで、本電気体毛処理装置１０についての詳細な構成および動作について説明する。
【００２７】  この電気体毛処理装置１０の本体部１１には、電源部（図示せず）と、内刃１７を往復振動させるための駆動機構（図示せず）が組み込まれている。
【００２８】  電気体毛処理装置１０の電源がオンされれば、駆動機構を通じて内刃１７が往復振動する。また、加温部１６が通電され、カーボン部Ａとして設けた、皮膚押圧体１３と外刃１４（カーボン被膜層１５）とを加温する。その状態で皮膚にカバー部１２を押し当てて皮膚上を滑らせるように動かすことによって、進行方向に沿って体毛が外刃１４の孔１８に入り、内刃１７と外刃１４がすり合う摺動面１４ｓ、１７ｓで体毛が内刃１７と外刃１４に挟まれて切断される。
【００２９】  一方、皮膚押圧体１３は、炭素材料である黒鉛を原料とし、粉砕した黒鉛を成型し、焼成して成形されている。また、皮膚押圧体１３はダイヤモンド状炭素で形成されてもよく、他の材料で形成された皮膚押圧体１３の表面をダイヤモンド状炭素で成膜してもよい。この場合は、皮膚押圧体１３は硬質であり、低摩擦性・低摩耗性を有するものとできる。また上記のダイヤモンド状炭素にフッ素や銀等の抗菌性を有する元素がドーピングされてもよい。この場合は、皮膚押圧体１３は抗菌性を有するものとできる。そして、皮膚押圧体１３の表面にアクリルやウレタン等の合成樹脂材を塗布し、１５０〜２００℃で焼付けを行ってもよい。この場合は、皮膚押圧体１３の表面はつや消し状とすることができる。なお、皮膚押圧体１３はカーボンによる被膜層を孔無しカバー体の表面に設けた構成でもよい。
【００３０】  また、上述したように、本電気体毛処理装置１０は加温部１６を備えており、これにより皮膚押圧体１３とカーボン被膜層１５とが温められるようになっている。なお、加温部１６は半導体電極フレキシブルヒーターで構成されているが、カバー部１２を加温する構成であればこれに限定されることはない。例えば、図４に示すような加温部１６ａであってもよい。図４の加温部１６ａは、本体部１１の内部に組み込まれており、基板１６ａａの裏面には電源部が設けられている。電気体毛処理装置１１の電源がオンされると、配線１６ａｂを通じて電流が発熱体１６ａｃへ流されることで発熱体１６ａｃが発熱される。発熱体１６ａｃはカバー部１２（皮膚押圧体１３、外刃１４）に接触されているので、発熱体１６ａｃが発熱した熱がカバー部１２へ伝熱される。カバー部１２の表面温度は、発熱体１６ａｃかたの熱が伝わった際に、４０℃〜５０℃くらいの皮膚に触れて心地よい温度になるよう設定される。サーミスタ１６ａｄは例えばＰＴＣサーミスタとされ、サーミスタ１６ａｄに設定された値以上の熱が発生するとサーミスタ１６ａｄの電気抵抗が増大し、発熱体１６ａｃに流される電流が小さくなるので、発熱体１６ａｃの発熱量が小さくなる。この場合、使用者が火傷をしないように、発熱体１６ａｃの発熱量を制御することができる。よって、カバー部１２（皮膚押圧体１３、外刃１４）の表面温度を使用者の所望する温度に設定可能な操作部（不図示）を設けてもよい。
【００３１】  本電気体毛処理装置１０で体毛処理した時には、加温された皮膚押圧体１３とカーボン被膜層１５から遠赤外線が放射される。それと同時に、これらのカーボン部Ａにより皮膚が加温され柔らかくなり、カーボン部Ａ（カーボン被膜層１５、皮膚押圧体１３）と皮膚との滑りがよくなる。また、これらのカーボン部Ａにより体毛が加温され柔らかくなり、スムーズに体毛を処理することができるので、肌の弱い人、毛深い人に好適で、皮膚を傷つけることを抑制しながら、深剃りができる。
【００３２】  カーボン部Ａとして、カーボン被膜層１５と皮膚押圧体１３との両方を備えることが望ましいが、少なくとも一方を有した構成であってもよい。また、設ける場所や数は限定されない。例えば、カーボン部Ａとして皮膚押圧体１３のみを有した構成であってもよい。つまり、外刃１４にはカーボン被膜層１５が形成されていなくてもよい。また、孔がないほうの外刃１４ｂを設けずに、外刃１４ｂを設けている場所に２つ目の皮膚押圧体を設けてもよい。
【００３３】  本電気体毛処理装置１０は、本体部１１が内刃１７を備えているが、カバー部１２が内刃１７を備えている構成でもよい。
【００３４】  以上のような構成によれば、カーボン被膜層１５の成形材料であるダイヤモンド状炭素が高強度、低摩擦係数、高耐摩耗性などの優れた特性があるため、カバー部１２の皮膚上での滑りがスムーズになる。また、ダイヤモンド状炭素は撥水性や防汚性が高く、カバー部１２に付着した水分や皮膚の脂を弾き、カバー部１２を水洗いすることが可能となる。さらに、カバー部１２の摺動面１４ｓにダイヤモンド状炭素を形成してもよく、そうすることで、内刃の摺動面１７ｓとの摩擦による消耗や剃り味の低下を抑え、カバー部１２の耐用年数を延ばすことができる。
【００３５】  またアクリルやウレタン等の合成樹脂材が塗布された皮膚押圧体１３やカーボン皮膜層１５の表面には、複数の微小な凹凸が形成された梨地状の加工を施してもよい。この場合は、皮膚への接触面積を小さくすることができる。このような加工方法としては、アクリルやウレタン等の合成樹脂材にアルミナや細かい砂など非常に細かな粒子体を混入させたものを皮膚押圧体１３やカーボン皮膜層１５の表面に塗布し、その表面に焼き付けを行うようにしてもよい。この場合は、簡易な方法で、見た目にはわからない程度の微小な凹凸面を形成することができる。加工方法はこれに限定されず、アルミナ、砂など微細な粒子体、いわゆるメディアを、空気と混合させ、圧力を加えて物体表面にぶつけるサンドブラストや、上記メディアを水と混合させて物体表面にぶつける液体ホーニング、などの種々の加工方法を用いてもよい。これにより、体毛を処理する際のカバー部１２の皮膚への肌触りが心地良いものとすることができる。
【００３６】  このように、本電気体毛処理装置１０のカーボン被膜層１５はダイヤモンド状炭素により成形されているが、炭素繊維強化炭素複合材料（以下、ＣＣコンポジットという）で成形されてもよい。また、外刃１４はニッケル合金に限定されることはない。他の金属材料でもよく、炭素材料で成形してもよい。
【００３７】  ＣＣコンポジットは、炭素を炭素繊維で強化したもので、たとえば繊維強化複合材である炭素繊維強化プラスチックを熱処理し、母材のプラスチックを炭化させて作ることができる。
【００３８】  このＣＣコンポジットは、炭素繊維強化プラスチック、ガラス繊維強化プラスチックなどに比べて、軽量で高強度などの優れた特性がある。高強度なので、他の炭素材料によるものと比べて、カバー部１２のカーボン被膜層１５を薄くすることができる。
【００３９】  また、ＣＣコンポジットはセピオライトなどの鉱石を含んだものに比べ、高い熱伝導性を有しているので、人体の体温を伝えるのに適しており、生体親和性もよい。また、ＣＣコンポジットに、さらに熱伝導性が高い等方性高密度炭素材や超高熱伝導グラファイトを添設してもよい。
【００４０】  ＣＣコンポジットなどの炭素材料は、上述したように熱伝導率が高く、外部の光や熱などの形で吸収したエネルギーにより多量の遠赤外線を放射する素材である。また、炭素材料は腐食性のおそれもなく、人体を形成する有機物の構成物質と同じであるため、生体親和性がよく、人体への安全性も高く、金属アレルギーの心配もない。
【００４１】  人体は、身体組成の６０％は水分、２５％は炭素であり、３６．５℃の平均体温で常に１０ミクロンの遠赤外線を放射しているので、人体の皮膚に炭素材が触れると、人体が遠赤外線を吸収して加温される。すなわち、炭素材料と人体との間で同じ波長の遠赤外線を放射し合って炭素材は約３６．５℃を維持する一方で身体の中では水分子が激しく衝突して、この振動が運動エネルギーとなって、熱に変換され身体が加温される。
【００４２】  その結果、遠赤外線が皮下組織や血管などに作用して血流が改善されるが、本発明者によれば、末梢、中枢の血流に１５％の上昇効果があることが確認されている。また、これらの炭素材料は、α波を発生して、身体を癒し健康増進に寄与する。
【００４３】  さらに、本発明では、加温部１６によりカーボン部Ａが迅速に加温されるため、より多量の遠赤外線が放射され、より高い健康増進効果を図ることができる。
【００４４】  図３（ａ）（ｂ）は他の実施形態である電気体毛処理装置２０、電気体毛処理装置３０の各斜視図である。
【００４５】  図３（ａ）の電気体毛処理装置２０は、カーボン部Ａとして、皮膚押圧体２３とカーボン被膜層２５とを有している。
【００４６】  さらに詳しくは、図３（ａ）の電気体毛処理装置２０は本体部２１とカバー部２２とを備えている。電気体毛処理装置２０は、それぞれにカーボン被膜層２５が形成された複数の分離外刃２４ａ、２４ｂ、２４ｃと、それらにそれぞれ対応する本体部２１の駆動機構（図示せず）を通じて回転する複数の円形の分離内刃（図示せず）と、カバー部２２の中央部に配された炭素材料による皮膚押圧体２３とを備えている。電気体毛処理装置２０は、さらに、皮膚押圧体２３と分離外刃２４ａ、２４ｂ、２４ｃ（カーボン被膜層２５）とを加温する加温部２６とを備えている。
【００４７】  分離外刃２４ａ、２４ｂ、２４ｃの各カーボン被膜層２５は、ダイヤモンド状炭素で成形されている。また、皮膚押圧体２３は、炭素材料である黒鉛を原料とし、粉砕した黒鉛を成型し、焼成して成形されている。なお、皮膚押圧体２３は、カーボンによる被膜層を孔無しカバー体の表面に設けた構成でもよい。また、加温部２６は、半導体電極フレキシブルヒーターで構成されているが、カバー部２２を加温する構成であればこれに限定されることはない。
【００４８】  図３（ｂ）の電気体毛処理装置３０は、カーボン部Ａとして、皮膚押圧体３３とカーボン被膜層３５とを有している。
【００４９】  さらに詳しくは、図３（ｂ）の電気体毛処理装置３０は本体部３１とカバー部３２とを備えている。電気体毛処理装置３０は、それぞれにカーボン被膜層３５が形成された複数の分離外刃３４ａ、３４ｂと、それらにそれぞれ対応し、本体部３１の駆動機構を通じて回転する複数の円形の分離内刃（図示せず）と、カバー部３２の１つの隅に配された炭素材料による皮膚押圧体３３とを備えている。電気体毛処理装置２０は、さらに、皮膚押圧体３３と分離外刃３４ａ、３４ｂとを加温する加温部３６を備えている。
【００５０】  分離外刃３４ａ、３４ｂのカーボン被膜層３５は、ダイヤモンド状炭素で成形されている。皮膚押圧体３３は、炭素材料である黒鉛を原料とし、粉砕した黒鉛を成型し、焼成して成形されている。なお、皮膚押圧体３３はカーボンによる被膜層を孔無しカバー体の表面に設けた構成でもよい。また、加温部３６は、半導体電極フレキシブルヒーターで構成されているが、カバー部３２を加温する構成であればこれに限定されることはない。
【００５１】  電気体毛処理装置の分離内刃と分離外刃との数は、図３（ａ）（ｂ）に例示したものに限定されることはない。また、分離内刃は本体部２１、３１、カバー部２２、３２のいずれかに備えている構成であればよい。
【００５２】  図３（ａ）（ｂ）の例においても、カーボン部Ａとして、カーボン被膜層２５、３５と皮膚押圧体２３、３３との両方を備えることが望ましいが、少なくとも一方を有した構成であってもよい。また、設ける場所や数は限定されない。例えば、分離外刃の中央部に皮膚押圧体を設けてもよい。カバー部のカーボン被膜層を形成する場所は分離外刃に限定されるものではなく、場所毎で異なる炭素材料で成形してもよく、一部にカーボン被膜層を形成しない構成でもよい。
【００５３】  本発明は、髭剃りシェーバーやボディシェーバー、頭髪用のバリカン等、体毛を処理するものであれば、実施形態は限定されない。
【００５４】  本発明は、体毛を剃る動作を行うだけで健康の増進を図ることが目的であり、血流の状態を測定する血流センサや皮膚の温度を測定する温度センサ等の健康状態を測定するための種々のセンサを設けてもよい。また、センサ等が測定したデータを記憶する記憶部や、外部との通信をするための通信部、ＳＤカードやＵＳＢメモリ等の外部記憶装置との接続部を備えてもよい。また、適切な速さで電気体毛処理装置を動かしているかを測定する加速度センサや、皮膚に過剰な圧力を加えていないか測定する圧力センサ、センサ等の情報から警告を発するためのランプ部やアラーム部などを設けてもよい。また、加温部の温度を調整するための温度調節機構を設けてもよい。
【符号の説明】
【００５５】  １０、２０、３０                          電気体毛処理装置  Ａ                                        カーボン部  １１、２１、３１                          本体部  １２、２２、３２                          カバー部  １３、２３、３３                          皮膚押圧体  １４、１４ａ、１４ｂ                      外刃  １４ｓ                                    （外刃の）摺動面  １５、２５、３５                          カーボン被膜層  ２４ａ、２４ｂ、２４ｃ、３４ａ、３４ｂ    分離外刃  １６、１６ａ、２６、３６                  加温部  １７                                      内刃  １７ｓ                                    （内刃の）摺動面  １８                                      孔 
【図１】
2017131179.tif 000003
【図２】
2017131179.tif 000004
【図３】
2017131179.tif 000005
【図４】
2017131179.tif 000006
【国際調査報告】
2017131179.tif 000007
2017131179.tif 000008
2017131179.tif 000009
2017131179.tif 000010